(57)【要約】      （修正有）【課題】塗装中に刷毛についた塗料をポタポタと外へ垂らさないようにするため、塗料容器を被塗布面に近づけて持つことができるようにした塗料容器用把持具、特に長時間の塗布作業においても、安定的に楽に塗料容器を被塗布面に近づけた状態で持つことのできる塗料容器用把持具を提供する。【解決手段】本願把持具１は、上部が塗料容器Ａの開口縁Ｂに係止でき、下部が前記塗料容器Ａの側面に固定できるようになっている縦部材３を設け、該縦部材３の下部側背面に環状部４を設け、環状部４に親指を指し、他の指を容器Ａの底外面に回して塗料容器を把持できるように構成した。また、前記環状部より上方に塗装用刷毛Ｄの収納容器７を備えて刷毛を入れられるように構成した。【選択図】図１
0003123537.tif 000002
【実用新案登録請求の範囲】
【請求項１】
上部が塗料容器の開口縁に係止でき、下部が前記塗料容器の側面に固定できるようになっている縦部材を設け、該縦部材の下部側背面に環状部を設けたことを特徴とする塗料容器用把持具。
【請求項２】
上部が塗料容器の開口縁に係止でき、下部が前記塗料容器の側面に固定できるようになっている縦部材を設け、該縦部材の下部側背面に環状部を設け、該環状部より上方に塗装用刷毛の収納容器を備えたことを特徴とする塗料容器用把持具。
【考案の詳細な説明】
【技術分野】
【０００１】
本考案は、塗装中に刷毛についた塗料をポタポタと外へ垂らさないようにするため、塗料容器を被塗布面に近づけて持つことができるようにした塗料容器用把持具に関するものである。
【背景技術】
【０００２】
一般に、壁面などを塗装する場合、利き手で刷毛を持ち、他方の手で塗料容器の提手を持ち、塗料容器から刷毛に採った塗料を壁面などの被塗布面を仕上げる。塗装中、刷毛についた塗料を外へ垂らさないための技術として、実用新案登録第３０３２５００号及び特開２００４−７５１４５号が知られていた。前者は、塗料容器の開口縁に刷毛収納容器を係止し、該収納容器に刷毛を収容することにより刷毛に残った塗料がまき散らされないようにしたものであり、また、後者は、塗料容器の中蓋にその上に置いた刷毛に残っている塗料を中蓋の穴から塗料容器内に戻せるようにしたものである。
【０００３】
上記実用新案登録第３０３２５００号及び特開２００４−７５１４５号は、刷毛を持つ手（利き手）を休めるためには有効であるが、塗料容器から刷毛にとった塗料を、被塗布面に運ぶまでの間にポタポタと外へ垂らしてしまうことを防止することはできないものであった。すなわち、塗料容器から刷毛に採った塗料を外へまき散らすことなく被塗布面まで運ぶためには、塗料容器を被塗布面に近づけて持つことが重要である。
【特許文献１】実用新案登録第３０３２５００号
【特許文献２】特開２００４−７５１４５号
【考案の開示】
【考案が解決しようとする課題】
【０００４】
しかしながら、塗料容器の提手を持って壁面などの塗布作業をしている場合、該提手を持つ手をかなり高い位置に上げないと塗料容器を被塗布面に近づけられなかったし、手を高い位置まで上げた姿勢は、塗装者にとって疲れ、提手を持つ手がだんだん下がってくるために塗布作業が遅くなったばかりでなく長時間の塗布作業には不向きであった。また、塗装者は提手に親指を引っ掛け、他の指を容器の底外面に回して塗料容器を把持すると該塗料容器を被塗布面に近づて持てることを経験上していたが、この持ち方は、提手に引っ掛けている親指が塗料容器との間に強く挟まれる結果、親指に痛みや痺れが生じるためにやはり長時間の塗布作業には不向きであった。
【０００５】
本考案は、上記課題を解消すためのもので、その目的とするところは、長時間の塗布作業においても、安定的に楽に塗料容器を被塗布面に近づけた状態で持つことのできる塗料容器用把持具を提供することにある。
【課題を解決するための手段】
【０００６】
上記目的を達成するため、本考案に係る塗料容器用把持具は、上部が塗料容器の開口縁に係止でき、下部が前記塗料容器の側面に固定できるようになっている縦部材を設け、該縦部材の下部側背面に環状部を設けたことを特徴とし、環状部に親指を指し、他の指を容器の底外面に回して塗料容器を把持できるように構成した。
【０００７】
また、請求項２に記載の考案に係る塗料容器用把持具は、上部が塗料容器の開口縁に係止でき、下部が前記塗料容器の側面に固定できるようになっている縦部材を設け、該縦部材の下部側背面に環状部を設け、該環状部より上方に塗装用刷毛の収納容器を備えたことを特徴とし、刷毛入れをも兼ね得るように構成した。
【考案の効果】
【０００８】
本考案によれば、環状部に親指を指し、他の指を容器の底外面に回して塗料容器を把持すると、塗装時に塗料容器を被塗布面に近づけて楽に持つことができ、刷毛に採った塗料をポタポタと外へ垂らさないで塗装作業をすることが可能となる。したがって、塗料容器を持つ手を高い位置に上げる姿勢での塗布作業を強いられることもないし、親指が提手と塗料容器との間に強く挟まれて痛くなったり痺れたりすることもなく、塗布スピードもアップするなど各種の優れた効果を奏するものである。
【０００９】
また、請求項２に記載の考案によれば、環状部に親指を指し、他の指を容器の底外面に回して塗料容器を持つと、塗装時に塗料容器を塗布面に近づけて楽に持つことができるばかりでなく、塗装に必要な数の刷毛を数本、塗料容器の近くに収容しておくことができるなど各種の優れた効果を奏するものである。
【考案を実施するための最良の形態】
【００１０】
次に、本考案の実施の態様を添付図面に基づいて説明する。図１は本願把持具を塗料容器に適用した場合を示す斜視図、図２は本願把持具の分解斜視図、図３は本願把持具を塗料容器に固定した状態の側面断面図、図４は同、平面断面図、図５は塗料容器を持っている状態を示す部分斜視図である。
【００１１】
１は本願把持具で、該本願把持具１は、上部に塗料容器Ａの開口縁Ｂに係止させるためのフック２を有する縦部材３を設け、該縦部材３の下部側の背面に環状部４を設け、該環状部４の下方に偏平面５を形成している。
【００１２】
前記縦部材３は、前記フック２を塗料容器Ａの開口縁Ｂに引っ掛け、該塗料容器Ａの側面Ｃに縦方向に沿わせたときに、図３の如く、容器側面の長さとほぼ一致するようになっている。すなわち、塗料容器Ａの高さに合わせて数種用意される。また、縦部材３の内面は、図４の如く、容器側面Ｃの円周に合わせて断面円弧状に形成しておくとよい。
【００１３】
前記偏平面５は、前記縦部材３の下部側を粘着テープ（たとえば、絶縁テープのような粘着力が強く、しかも丈夫なものがよい。）６によって塗料容器Ａの側面Ｃに貼り付けて固定できるようにしている。この場合、偏平面５の下縁にリブ５′を設けているのは、前記粘着テープ６が偏平面５よりズレ落ちることを有効に防止している。
【００１４】
前記本願把持具１は、本実施例では縦部材３の上部のフック２と、下部の偏平面５に適用した粘着テープ６とにより塗料容器Ａの側面Ｃに固定されるように構成しているが、これに限定されるものではない。たとえば、フック２や粘着テープ６に代えて塗料容器Ａを１周させる締付バンド（図示せず）を利用することも可能である。
【００１５】
前記縦部材３の背面で、前記環状部４より上方に塗装用刷毛Ｄの収納容器７を備えている。該収納容器７は、中板８を中心にしてその左右に溝状に膨出したケース９、９′を設けている。前記ケース９、９′の底部間には棚板１０が固定され、前記環状部４の上面に設けた突起１１に係止できるようになっている。また、前記中板８の背面には、前記縦部材３の背面の肉厚部１２に形成したネジ穴１３に合致する位置に透孔１４が設けられ、該透孔１４に差し込んだビス１５により縦部材３の背面に固定できるようになっている。
【００１６】
前記ケース９、９′は、図４の如く、塗料容器Ａの側面Ｃに接したときに箱となる。このケース９、９′の下端部は刷毛Ｄの柄が突き当たる底が存在することは勿論、その上縁部の外壁は、刷毛Ｄを外へ転倒させないために高壁になっている。
【００１７】
前記フック２は、前記縦部材３に予め一体に形成していても良いが、本例では、図２の如く、縦部材３とは別体に形成し、前記収納容器７を背負わせるときに一体に組立てできるように構成している。すなわち、縦部材３の上部に穴１６を設け、この穴１６にフック２の突子１７を係合させさた後、該フック２をその背面から前記収納容器７をビス１５で固定するときに、中板８で押え込めるように構成している。
【００１８】
前記本願把持具１を構成する前記フック２、縦部材３、環状部４及び塗装用刷毛Ｄの収納容器７は、必要な強度を有するプラスチック素材により形成されている。勿論、アルミニウムや銅などの金属により形成することも、金属とプラスチックとの複合品として形成することも可能である。
【００１９】
次に、本願把持具１の使用方法について説明する。まず、塗料を入れた塗料容器Ａの開口縁Ｂに縦部材３の上部に設けたフック２を係止させ、かつ、該縦部材３の下方の偏平面５を粘着テープ６によって塗料容器Ａの側面Ｃに貼り付けて固定する。偏平面５の下縁にはリブ５′があり、粘着テープ６は偏平面５よりズレ落ちることがないため、本願把持具１は塗料容器Ａの側面に確実に固定される。
【００２０】
次いで、塗装者は自己の左手（利き手が右手の場合）の親指ａを、図５の如く、本願把持具１の前記環状部４に通し、同左手の他の指（人指し指、中指、薬指、小指）ｂで塗料容器Ａの底外面を支持させる。
【００２１】
これにより塗装者をして塗料容器Ａを被塗布面（図示せず）に近づけて楽に持つことができ、したがって、塗料容器Ａ内から刷毛Ｄに採った塗料は容器外へポタポタと垂らさせない状態で塗布することができるようになる。この塗装者の姿勢は、従来のように塗料容器を持つ手を高い位置に上げる無理な姿勢になることがなく、しかも、提手と塗料容器との間に親指が挟まれて痛くなったり痺れたするようなこともなく、長時間に及ぶ塗布作業の場合でも楽に継続できるものとなる。
【産業上の利用可能性】
【００２２】
本願把持具１は、塗装時に塗料容器を塗布面に近づけて楽に持つことができ、長時間に及ぶ塗装作業を楽にしかもスピードアップして行うことが可能となるもので、塗装上有益なものである。
【図面の簡単な説明】
【００２３】
【図１】本願把持具を塗料容器に適用した場合を示す斜視図である。
【図２】本願把持具の分解斜視図である。
【図３】本願把持具を塗料容器に固定した状態の側面断面図である。
【図４】同、平面断面図である。
【図５】塗料容器を持っている状態を示す部分斜視図である。
【符号の説明】
【００２４】
１  本願把持具
２  フック
３  縦部材
４  環状部
５  偏平面
５′  リブ
６  粘着テープ
７  収容容器
８  中板
９、９′  ケース
１０  棚板
１１  突起
１２  肉厚部
１３  ネジ穴
１４  透孔
１５  ビス
１６  穴
１７  突子
Ａ  塗料容器
Ｂ  開口縁
Ｃ  側面
Ｄ  刷毛
ａ  親指
ｂ  他の指
【図１】
0003123537.tif 000003
【図２】
0003123537.tif 000004
【図３】
0003123537.tif 000005
【図４】
0003123537.tif 000006
【図５】
0003123537.tif 000007